(57)【要約】      （修正有）【課題】足踏動作と同時にツイスト運動を行う腰のツイスト付ステッパーを提供する。      【解決手段】腰のツイスト付ステッパーは、底台１０上に上下運動する足踏部品２０、足踏部品を載せて往復回転運動する回転部品３０、足踏部品と回転部品を連動する連動部品４０を設置する。足踏部品、回転部品、連動部品の連動によって、操作者が足踏運動する度に回転部品が足踏部品と共に回転運動する。【選択図】図３
0003114675.tif 000002
【実用新案登録請求の範囲】
【請求項１】
主に底台、回転部品、足踏部品、連動部品から構成された腰のツイスト付ステッパーにおいて、
装置全体の主体となる底台と、
底台上に軸設する回転部品と、
回転部品上に設置し、上下運動する主動機構である足踏部品と、
回転部品と底台の間に設置し、操作者が両足で足踏部品を上下運動させると同時に回転部品を往復回転運動させる連動部品から構成されることを特徴とする腰のツイスト付ステッパー。
【請求項２】
主に底台、回転部品、足踏部品、連動部品から構成された腰のツイスト付ステッパーにおいて、
装置全体の主体となる底台と、
底台上に軸設する回転部品と、
回転部品上に設置し、回転部品の軸心周辺に相対して上下運動する一対の平行連桿を軸設し、その二本の平行連桿の先端に足踏板を設置し、上下運動させる主動機構である足踏部品と、
回転部品と底台の間に設置し、操作者が両足で足踏部品を上下運動させると同時に回転部品を往復回転運動させる連動部品から構成されることを特徴とする腰のツイスト付ステッパー。
【請求項３】
前記足踏部品は、回転部品の軸心周辺に相対して上下運動する一対の平行連桿を軸設し、二本の平行連桿の先端には足踏板を設置することを特徴とする請求項１記載の腰のツイスト付ステッパー。
【請求項４】
前記連動部品は、二本の平行連桿中央の軸心に固定した傘型ギア、及び底台に固定した錐型ギアによって構成されることを特徴とする請求項１又は２記載の腰のツイスト付ステッパー。
【請求項５】
前記連動部品は、回転部品一方に固定したチェーン、及び底台一方に固定したチェーン輪によって構成されることを特徴とする請求項１又は２記載の腰のツイスト付ステッパー。
【請求項６】
前記連動部品は、回転部品一方に固定したワイヤーロープ、及び底台一方に固定した滑動輪によって構成され、ワイヤーロープ及び滑動輪の車輪面には、相互に掛合する凸部及び凹部が成形されることを特徴とする請求項１又は２記載の腰のツイスト付ステッパー。
【請求項７】
前記底台は、その上に二本の平行連桿中央の動作範囲を遮る上蓋を設置することを特徴とする請求項１又は２記載の腰のツイスト付ステッパー。
【請求項８】
前記回転部品は、底台との間に減衰装置を設置することを特徴とする請求項１又は２記載の腰のツイスト付ステッパー。
【請求項９】
前記減衰装置は、底台一方に回転部品を締める圧力板を設置することを特徴とする請求項１又は２記載の腰のツイスト付ステッパー。
【請求項１０】
前記減衰装置は、底台の一方に回転部品を締める圧力板を設置し、その圧力板底台に対応する一端に、ネジで底台と螺設し、その圧力板は、回転部品に入る区域の一端にピンを回転部品の案内槽に入れることを特徴とする請求項１又は２記載の腰のツイスト付ステッパー。
【請求項１１】
前記回転部品は、圧力板の一側面に向かって延長板が延び、その圧力板と延長板の間、及び延長板と底台の間には少なくとも一枚の摩擦片を設置することを特徴とする請求項１又は２記載の腰のツイスト付ステッパー。
【考案の詳細な説明】
【技術分野】
【０００１】
本考案は、腰のツイスト付ステッパーに関するもので、擬似歩行運動と同時に腰のツイスト効果を具えるものである。
【背景技術】
【０００２】
現代人は時間的ストレスや、煩雑な仕事、更には天気を理由にして適度な運動から遠ざかっている。それによって、免疫力が低下し、生活習慣病にもかかりやすくなる。これらを防止するためにも、適度な運動は必要で、室内でいつでもできることが望ましい。
【０００３】
戸外で行う運動を室内で擬似的に行う健康器材は、図１に示すとおり、体積が小さく、更に擬似歩行運動を行うステッパーがある。このステッパーは、主に底台１０上に二個の上下運動を行う足踏板２１が軸設され、足踏板２１と底台１０の間には油圧桿２２(もしくはその他平行連桿等の機構)が連結される。操作者は足踏板２１を踏んで下へ下げ、二枚の足踏板２１を交互に上下運動させ、擬似歩行運動を行う。
【考案の開示】
【考案が解決しようとする課題】
【０００４】
解決しようとする問題点は、公知のステッパーは脚を上下運動させるだけなので、運動方法に面白みがなく、飽きやすく、運動が続かない点である。
【課題を解決するための手段】
【０００５】
本考案は、底台上に上下運動する足踏部品、足踏部品を載せて往復回転運動する回転部品、足踏部品と回転部品を連動する連動部品を設置する。足踏部品、回転部品、連動部品の連動によって、操作者が足踏運動する度に回転部品が足踏部品と共に回転運動することを最も主要な特徴とする。
【考案の効果】
【０００６】
本考案の腰のツイスト付ステッパーは、擬似歩行運動と同時に腰のツイスト運動を行うという利点がある。
【考案を実施するための最良の形態】
【０００７】
以下、本考案の実施例について、図面を参照しながら説明する。
【実施例１】
【０００８】
本考案は、図２Ａから図４に示すとおり、底台１０を主要構造体とし、その底台１０上に足踏部品２０、回転部品３０及び連動部品４０を設置する。足踏部品２０を操作者が上下運動させて擬似歩行運動を行う他に、足踏部品２０、回転部品３０及び連動部品４０から構成される回転リズム運動装置により、操作者が両足で足踏部品２０上下運動させた時、回転部品３０が連動し、往復回転運動を行い、足踏み、腰のツイスト運動を同時に行う。
【０００９】
足踏部品２０は、上下運動する主動機構であり、回転部品３０は足踏部品２０を載せ、更に足踏部品２０の動きによって駆動する追動機構である。そして連動部品４０は足踏部品２０の上下運動を連動部品４０に伝えて水平回転する連動機構で、足踏部品２０と回転部品３０を連動する。
【００１０】
具体的な実施として、回転部品３０は、底台１０に軸設した回転盤で、足踏部品２０には回転部品３０の軸心周辺に、相対して上下運動する平行連桿２３を一対設置する。更にこの二本の平行連桿２３の相対する先端に足踏板２１を設置し、足踏部品２０は平行連桿２３の連動によって操作者が足踏板２１を踏んで下へ下げ、図６に示すとおり、二枚の足踏板２１が上下交互に運動する。
【００１１】
この他、前述の連動部品４０は、実施時、図２Ａから図５に示すとおり、平行連桿２３中央の軸心に固定した傘型ギア４１及び底台１０上に固定した錐型ギア４２から構成される。そのうち、錐型ギア４２の中心は、回転部品３０の立軸３１箇所とし、組立時、傘型ギア４１と錐型ギア４２を相互に噛み合わせ、二本の平行連桿２３を相対して上下に動かした時、傘型ギア４１は軸心に従って左右に動くが、錐型ギア４２は回転できずに、傘型ギア４１を錐型ギア４２のギア面に沿って往復回転させ、図７に示すとおり、回転部品３０は足踏部品２０と共に回転運動する。
【００１２】
図３及び図４に示すとおり、本考案のステッパーは、底台１０に二本の平行連桿２３中央の動作範囲を限定する上蓋１２を固定し、安全を高める。更に回転部品３０と底台１０の間に減衰装置５０を設置する。この減衰装置５０は底台１０の一方に回転部品３０に対して圧力を加える圧力板５１を設置する。この圧力板５１は、底台１０に対応する一端に、ネジ５２で底台１０と相互に螺設する。圧力板５１は回転部品３０区域に入る一端が、ピン５３で回転部品３０の案内槽３２に入り、圧力板５１が回転部品３０に従って動くのを抑える定位作用を具える。そのうち、この回転部品３０には、圧力板５１一側面に向かって延びる延長板３３があり、ネジ５３によって圧力板５１と底台１０に延びる延長板３３の締め具合を調整し、ステッパーの運動抵抗力の大きさを調節する。更に圧力板５１と延長板３３の間、及び延長板３３と底台１０の間には、少なくともひとつの摩擦片５４が設置され、減衰装置５０の摩擦機能を高める。
【実施例２】
【００１３】
連動部品４０は、図８に示すとおり、回転部品３０一方に固定したチェーン４３及び底台１０一方に固定したチェーン輪４４によって構成される。
【実施例３】
【００１４】
もしくは図９に示すとおり、回転部品３０一方に固定したワイヤーロープ４５、及び底台１０一方に固定した滑動輪４６によって構成される。更にワイヤーロープ４５及び滑動輪４６の車輪面には相互に掛合する凸部４５１及び凹部４６１が成形され、同様に回転部品３０の往復回転運動の伝動効果を得る。
【図面の簡単な説明】
【００１５】
【図１】公知のステッパーの外観構造図である。
【図２Ａ】本考案のステッパー使用状態図である。
【図２Ｂ】本考案のステッパーの別の使用状態図である。
【図３】本考案の第一実施例の足踏み部品の構造分解図である。
【図４】本考案第一実施例の連動部品の構造分解図である。
【図５】本考案第一実施例の連動部品と減衰装置の構造断面図である。
【図６】本考案の足踏み部品の動作指示図である。
【図７】本考案の回転部品の動作指示図である。
【図８】本考案第二実施例の連動部品の構造分解図である。
【図９】本考案第三実施例の連動部品の構造分解図である。
【符号の説明】
【００１６】
１０        底台
１２        上蓋
２０        足踏部品
２１        足踏板
２２        油圧桿
２３        平行連桿
３０        回転部品
３１        立軸
３２        案内槽
３３        延長片
４０        連動部品
４１        傘型ギア
４２        錐型ギア
４３        チェーン
４４        チェーン輪
４５        ワイヤーロープ
４５１        凸部
４６        滑動車輪
４６１        凹部
５０        減衰装置
５１        圧力板
５２        ネジ桿
５３        ピン
６４        摩擦片
【図１】
0003114675.tif 000003
【図２Ａ】
0003114675.tif 000004
【図２Ｂ】
0003114675.tif 000005
【図３】
0003114675.tif 000006
【図４】
0003114675.tif 000007
【図５】
0003114675.tif 000008
【図６】
0003114675.tif 000009
【図７】
0003114675.tif 000010
【図８】
0003114675.tif 000011
【図９】
0003114675.tif 000012